(57)【要約】      （修正有）【課題】カートリッジのサイズを大きくせずとも済み、かつ、通帳をその膨らみに巧みに対処して確実に繰り出すことができる通帳発行装置を提供する。【解決手段】通帳繰り出し機構Ｂ１の動力源としてモータ１１１を用い、通帳押圧機構Ｂ２として一端の回転軸を中心として回動して、カートリッジ１００に積載されている通帳の上面を押圧する押圧レバー１２２を用い、入力側がモータ１１１に機械的に結合され、かつ出力側が押圧レバー１２２の回転軸に機械的に結合されたトルクリミッタ１１９を備えた。【選択図】図１
2014032547.tif 000002
【特許請求の範囲】
【請求項１】
通帳繰り出し機構の動力源としてモータを用い、通帳押圧機構として一端の回転軸を中心として回動して、カートリッジに積載されている通帳の上面を押圧する押圧レバーを用い、入力側が前記モータに機械的に結合され、出力側が前記押圧レバーの回転軸に機械的に結合されたトルクリミッタを備えたことを特徴とする通帳発行装置。
【請求項２】
請求項１に記載の通帳発行装置において、前記通帳繰り出し機構は、モータと、一対のプーリ間に掛け回され、前記モータにより一方向に回転される無端ベルトと、その無端ベルトに固着され、前記カートリッジに積載された通帳の中の最下位置の通帳を繰り出す繰り出し爪とで構成され、前記通帳押圧機構は、最終回転体と、その最終回転体の回転軸に一端が固着され、他端が前記カートリッジに積載された通帳の中の最高位置の通帳の上面に載置されている押圧板に当接されている前記押圧レバーとで構成され、前記トルクリミッタは、入力側が前記モータの回転軸に機械的に結合され、出力側が前記最終回転体に機械的に結合されていることを特徴とする通帳発行装置。
【請求項３】
請求項２に記載の通帳発行装置において、前記繰り出し爪を、前記無端ベルトに固着される固定部と、その固定部の後端部に回動可能に結合された可動部と、その可動部をカートリッジの底面板の上面に対して一定の傾斜角度に起立するように付勢する付勢部材とで構成し、前記可動部は前記無端ベルトから一定の傾斜角度に立ち上がる平坦部と、その平坦部の末端に通帳の綴じ目の厚みと略等しい高さを持って前記平坦部に対して鋭角に起立する鉤部とを一体に有していることを特徴とする通帳発行装置。
【請求項４】
請求項３に記載の通帳発行装置において、前記繰り出し爪の可動部の平坦部と鉤部の間に窪みが形成されていることを特徴とする通帳発行装置。
【発明の詳細な説明】
【技術分野】
【０００１】
本発明は、通帳、振込み帳その他の冊子状印刷媒体（以下、「通帳」という。)を発行する装置、特に通帳の膨らみに対処する機構を備えたものに関する。
【背景技術】
【０００２】
図４は、従来の通帳発行装置Ｂを内蔵した通帳処理機Ａの一例を示す断面図である。通帳処理機Ａは、前端部に設けられた通帳挿入口１に見開き状態で挿入された通帳を挿入センサ２により検知すると、その検知信号が制御部３に入力することにより、制御部３はモータ４１、複数の搬送ローラ４２、モータ４１の回転力を搬送ローラ４２に伝える伝動ベルト等４３からなる搬送部４を駆動し、挿入された通帳を通帳処理機Ａの内部に搬送し、その間に磁気ヘッド５によりその通帳に記録されている磁気情報を読み取るとともに、光学式の読み取り部６により通帳に記載された文字情報を読み取り、その読み取った情報を上位装置（不図示)に転送した後、逆方向、すなわち、通帳挿入口１方向に搬送される通帳に対して、上位装置から受信した更新された情報に基いて、印字ヘッド７を駆動して所定内容をその通帳に印字して、再び通帳挿入口１に排出するようになっている。
【０００３】
読み取り部６により読み取った結果、更新された情報を印字するために頁めくりが必要な場合は、読み取り部６を通過した通帳が図４の右側に設けてある頁めくり装置Ｃまで搬送され、その頁めくり装置Ｃにより所定の頁にめくられた後、逆方向に搬送され、印字ヘッド７による印字および磁気ヘッド５による磁気記録をされた後、通帳挿入口１に排出される場合もある。
【０００４】
そして、通帳発行装置Ｂは、制御部３から通帳発行命令を入力するたびに新たな通帳を１つずつ繰り出して発行するものであり、通帳処理機Ａ内に備えたカートリッジ８に複数の通帳Ｎを積載し、最下位の通帳を繰り出し手段９により繰り出し、かつ、カートリッジ８の繰り出し口付近に設けられた送り出しローラ４２’により搬送路に送り出すように構成されている。繰り出し手段９は、カートリッジ８の下側に通帳繰り出し方向に間隔を置いて配置された一対のプーリ９１にベルト９２を巻回し、そのベルト９２に最下位の通帳の後端に係止するように形成された繰り出し爪９３を取付け、いずれかのプーリ９１に可逆モータ９４の回転力を伝える構成とされている。
【０００５】
ところで、通帳は自然状態において膨らんでいる場合が少なくない。通帳をカートリッジ８内に積載した状態でも、図５に示すように膨らみが残るので、最下位の通帳Ｎの後端部がカートリッジ８の底面８１に対して様々な角度θ１で傾斜することがある。そのため、繰り出し爪９３を用いる繰り出し手段９で繰り出し力を与えても円滑に繰り出されないことがある。これを防止するため、従来は、積載された通帳の上に錘を載せたり、図４に例示するように、カートリッジ８内に設けたスプリング１０で押圧板１１を介して通帳Ｎを押圧したりして、カートリッジ８内の通帳Ｎの膨らみに対処する機構を備えている。
【先行技術文献】
【特許文献】
【０００６】
【特許文献１】特開平８−１５７０８５号公報
【特許文献２】特開平５−２２５４２４号公報
【発明の概要】
【発明が解決しようとする課題】
【０００７】
しかしながら、従来の通帳発行装置には次の二つの問題があった。その１つは、通帳の膨らみに対処する機構は、カートリッジ内に錘やスプリング１０などの通帳押圧機構を設けるものであるから、カートリッジ８のサイズが大きくなってしまうことである。
【０００８】
もう１つの問題は、最下位の通帳Ｎが繰り出されない場合が発生することである。その原因は、従来の通帳繰り出し手段９を構成する繰り出し爪９３は、図６に示すように、ベルト９２に固着される固着部９３ａと、ベルト９２から斜めに立ち上がる平坦部９３ｂと、その平坦部９３ｂの末端に設けられている鉤部９３ｃとが一体に形成され、平坦部９３ｂのカートリッジ８の底面板８１の上面に対する傾斜角度θ２は、ベルト９２が通帳の後端部から前方に移動されるときに、最下位の通帳Ｎの後端部がその平坦部９３ｂに当接するように設定されており、また、平坦部９３ｂに当接した最下位の通帳Ｎの後端部を係止して繰り出し力を与えるように、鉤部９３ｃの平坦部９３ｂに対する角度は略直角(８５〜９０度)に設定され、鉤部９３ｃの平坦部９３ｂからの起立高さｈが通帳の綴じ目の厚みと略等しい高さ、例えば１．０〜２．５ｍｍに設定されていることにある。
【０００９】
最下位の通帳Ｎの膨らみが許容範囲にあるとき、すなわち、図６に示すように、最下位の通帳Ｎの後端部のカートリッジ８の底面板８１の上面に対する傾斜角度θ１が平坦部９３ｂのカートリッジ８の底面板８１の上面に対する傾斜角度θ２以内であるときは、鉤部９３ｃが最下位の通帳Ｎの後端部を係止して繰り出し力を与えるから、最下位の通帳Ｎは確実に繰り出される。
【００１０】
しかしながら、従来の繰り出し爪９３は、固着部９３ａから鉤部９３ｃまで一体に形成されてベルト９２に固定され、平坦部９３ｂの傾斜角度θ２が常に一定であるため、図７に示すように、最下位の通帳Ｎの後端部の膨らみが鉤部９３ｃの起立高さｈよりも大きく、少しでも丸みを帯びると、すなわち、最下位の通帳Ｎの後端部のカートリッジ８の底面板８１の上面に対する傾斜角度θ１が平坦部９３ｂのカートリッジ８の底面板８１の上面に対する傾斜角度θ２よりも大きくなると、その通帳Ｎの後端部が鉤部９３ｃに係止されずに逃げてしまう。したがって、最下位の通帳Ｎが繰り出されない場合が発生するのである。
【００１１】
本発明は、上記の点に鑑みてなされたものであり、カートリッジのサイズを大きくせずとも済み、かつ、通帳をその膨らみに巧みに対処して確実に繰り出すことができる通帳発行装置を提供することを目的とする。
【課題を解決するための手段】
【００１２】
本発明は、上記目的を達成するため、通帳繰り出し機構の動力源としてモータを用い、通帳押圧機構として一端の回転軸を中心として回動して、カートリッジに積載されている通帳の上面を押圧する押圧レバーを用い、入力側がモータに機械的に結合され、かつ出力側が押圧レバーの回転軸に機械的に結合された摩擦クラッチ(トルクリミッタ：商標)を備えたことを特徴とする。
【００１３】
また、本発明は、通帳繰り出し機構を、モータと、一対のプーリ間に掛け回され、前記モータにより一方向に回転される無端ベルトと、その無端ベルトに固着され、カートリッジに積載された通帳の中の最下位の通帳を繰り出す繰り出し爪とで構成するとともに、通帳押圧機構を、最終回転体と、その最終回転体の回転軸に一端が固着され、他端がカートリッジに積載された通帳の中の最上位の通帳の上面に載置されているプレートに当接されている押圧レバーとで構成し、トルクリミッタの入力側は前記モータの回転軸に機械的に結合され、トルクリミッタの出力側は最終回転体の回転軸に機械的に結合されていることを特徴とする。
【００１４】
さらに、本発明は、前記繰り出し爪を、ベルトに固着される固定部と、その固定部の後端部に回動可能に結合された可動部と、その可動部を一定の傾斜角度に起立するように付勢する付勢部材とで構成し、可動部はカートリッジの底面板の上面に対して一定の傾斜角度に立ち上がる平坦部と、その平坦部の末端に通帳の綴じ目の厚みと略等しい高さを持って平坦部に対して鋭角に起立する鉤部とを一体に有していることを特徴とする。
【００１５】
本発明の好ましい実施の形態においては、可動部の平坦部と鉤部の間に上向きの窪みが形成されている。
【発明の効果】
【００１６】
本発明によれば、通帳繰り出し機構と通帳押圧機構が１つのモータを共用し、通帳押圧機構はカートリッジに積載された通帳を押圧する押圧レバーをトルクリミッタを介して前記モータにより駆動するようにしたので、カートリッジは大きなサイズを必要とせず、通帳発行装置の構成が簡単であり、製造コストの低減も可能である。 
【図面の簡単な説明】
【００１７】
【図１】本発明の一実施の形態に係る通帳発行装置の通帳繰り出し機構と通帳押圧機構を示す断面図である。
【図２】繰り出し爪の構成の詳細を示す断面図である。
【図３】繰り出し爪の作用を説明する図である。
【図４】従来の通帳発行装置の一例を示す断面図である。
【図５】カートリッジに積載された通帳の膨らみを示す模式図である。
【図６】従来の繰り出し爪の構造を示す断面図である。
【図７】従来の繰り出し爪の作用を説明する図である。
【発明を実施するための形態】
【００１８】
続いて、本発明の実施の形態について図面を参照しながら説明する。
【００１９】
図１に例示するように、本実施の形態に係る通帳発行装置Ｂは、所定の位置に着脱可能または固定的に取付けられたカートリッジ1００を有する。カートリッジ1００は、少なくとも底面板１０１と、前面板１０２と、左右の側面板１０３とを有して、後面および上面が開放され、内部に複数の通帳Ｎを装填することができる箱状に形成されている。後面は閉鎖されてもよく、上面は鍵突き蓋を支点で開閉可能に取り付けてもよい。
【００２０】
［通帳繰り出し機構］
カートリッジ１００の底面板１０１には、その幅方向略中央に後端から前端方向に所定の長さに渡って連続するスリット１０４が形成されている。また、前面板１０２の下端部に通帳繰り出し口１０５が形成されている。通帳繰り出し口１０５の底面板１０１からの高さは、一度に繰出される通帳の数を１に制限するため、通帳Ｎの厚みの１倍を超え、２倍未満に設定されている。
【００２１】
スリット１０４の所定の長さとは、後記無端ベルト１０９の一方向回転時に繰り出し爪１１０がカートリッジ１００に収容されている通帳のうち、最下位の通帳の前端部を通帳繰り出し口１０５の前方に設けてある送り出しローラ４２’による送り出し力を受ける位置まで移動させるに必要な長さである。
【００２２】
カートリッジ１００に装填された通帳Ｎの上面にはプレート１０６が載せられる。プレート１０６は、後記押圧レバー１２２の押圧力を最上位の通帳Ｎの上面全域に均一に分散させるため、平板状のものが使用されている。
【００２３】
カートリッジ１００のスリット１０４よりも下側には、カートリッジ１００の後端部よりも後方の位置と、スリット１０４の前端部よりも前方の位置とに設けられた一対のプーリ１０７，１０８の間に無端ベルト（以下、単に「ベルト」という。)１０９が掛け回されている。そのベルト１０９の上側部分１０９Ｕの所定の位置に繰り出し爪１１０が固着されている。
【００２４】
ベルト１０９は、プーリ１０７付近に設けられた可逆モータ１１１により回転駆動される。さらに詳しくは、可逆モータ１１１の回転軸１１２に歯車１１３が固着され、その歯車１１３は歯車１１４に噛合され、その歯車１１４の回転軸１１５に固着された小歯車１１６に、プーリ１０７の回転軸に固着された歯車１１７が噛合されている。
【００２５】
上記可逆モータ１１１、伝動歯車1１３,１１４,１１６,１１７、一対のプーリ１０７,１０８、ベルト１０９および繰り出し爪１１０により、通帳繰り出し機構Ｂ１が構成されている。
【００２６】
繰り出し爪１１０は、ベルト１０９が可逆モータ１１１により所定方向、図１においては反時計方向に所定角度回転されると、スリット１０４の後方の初期位置からカートリッジ１００の内側に起立した状態で進入し、カートリッジ１００内に積載されている通帳Ｎのうち、最下位の通帳Ｎの後端部を押してその通帳Ｎを通帳繰り出し口１０５から繰り出し、スリット１０４の前端部まで移動した後、可逆モータ１１１の逆転により初期位置まで復帰されるようになっている。
【００２７】
可逆モータ１１１は、通帳処理機Ａの制御部３（図４参照)がカートリッジ1００から通帳Ｎを１つ発行させるたびに所定角度ずつ正転（図１では反時計方向回転）と逆転（図１では時計方向回転)をされる。繰り出し爪１１０は、通帳発行前は、図１に示されるように、カートリッジ1００のスリット１０４の後方の初期位置に保持されている。そして、制御部３が通帳発行命令を出すと、可逆モータ１１１が所定角度正転されるため、ベルト１０９が所定角度回転されて繰り出し爪１１０がスリット１０４の後方の初期位置からスリット１０４内をそのスリット１０４の前端部まで移動されることにより、最下位の通帳のみが繰り出し口１０５から繰り出される。繰り出し口１０５から繰り出される通帳Ｎは、繰り出し口１０５の前方近傍に設けてある送り出しローラ４２’により通帳処理機Ａの搬送路に送り込まれるようになっている。
【００２８】
可逆モータ１１１は、所定角度まで正転されると、引き続いて所定角度まで逆転され、繰り出し爪１１０が初期位置に戻されたとき逆転を停止し、次の通帳発行命令を待つ。
【００２９】
［通帳押圧機構］
歯車１１４には、また、歯車１１８が噛合されている。その歯車１１８はトルクミッタ１１９の入力側に噛合され、トルクリミッタ１１９の出力側には最終の歯車１２０が噛合されている。歯車１２０は、カートリッジ１００の後端部上方に設けられ、その歯車１２０の回転軸１２１には、押圧レバー１２２の一端が固着されている。押圧レバー１２２は、カートリッジ１００内に積載された通帳Ｎの上面に載置された押圧板１０６の上側において回転軸１２１を中心に回動されるように設けられている。押圧レバー１２２は、押圧力を押圧板１０６にバランスよく加えるために、押圧板１０６の幅方向略中央線の上側に設けられている。
【００３０】
上記モータ１１１、伝動歯車1１３,１１４,１１８、トルクリミッタ１１９、歯車１２０および押圧レバー１２２により、通帳押圧機構Ｂ２が構成されている。
【００３１】
そして、通帳繰り出し機構Ｂ１により上記のようにカートリッジ１００から通帳Ｎが繰り出される間は、モータ１１１の回転力が伝動歯車1１３,１１４,１１８およびトルクリミッタ１１９を介して歯車１２０に伝達されるため、押圧レバー１２２はその先端がプレート１０６を押圧する。そのため、通帳Ｎの膨らみが押し潰され、通帳Ｎはいずれもフラットになる。したがって、最下位の通帳Ｎは繰り出し口１０５から円滑に繰り出されることが可能である。
【００３２】
押圧レバー１２２の先端が押圧板１０６に当たるまではトルクリミッタ１１９がモータ１１１の回転力をそのまま歯車１２０に伝達するが、押圧レバー１２２の先端が押圧板１０６に当たった後は、トルクリミッタ１１９は歯車１１８からの回転力と歯車１２０からの反力により擦り合わせ運動をし、押圧レバー１２２の押圧力を一定に保つ。また、モータ１１１から押圧レバー１２２までの全ての構成部材が破壊から保護される。
【００３３】
カートリッジ１００内に通帳Ｎを補給する場合は、可逆モータ１１１を所定角度逆回転させて、押圧レバー１２２が直立状態になるまで移動したことを図示されていない押圧レバーセンサにより検知したときに可逆モータ１１１の逆回転を自動的に止めるようにすると、押圧レバー１２２が障害になることなく、通帳の補給を容易に行うことができる。
【００３４】
［繰り出し爪の好ましい構造］
本発明の好ましい実施の形態においては、繰り出し爪１１０は、次のように構成されている。すなわち、図２に示すように、繰り出し爪１１０は、ベルト１０９の上側部分１０９Ｕの一部に、一例としてねじ止めなどにより固着される固定部１１０ａと、その固定部１１０ａの後端部に、一例としてピン１１０ｂ等により回転可能に結合された可動部１１０ｃと、一部がベルト１０９に固定部１１０ａとともに固着され、残部が可動部１１０ｃの下面に当接されて、可動部１１０ｃをベルト１０９に対して所定の傾斜角度に維持するように付勢する付勢部材、例えば、板バネ１１０ｄとからなっている。
【００３５】
そして、可動部１１０ｃは固定部１１０ａ側に存在する平坦部１１０ｃ1とその平坦部１１０ｃ1の先端に設けられた鉤部１１０ｃ２とを一体に有する。平坦部１１０ｃ1は、上面がカートリッジ１００の底面板１０１の上面に対して所定の傾斜角度を有する。鉤部１１０ｃ２は平坦部１１０ｃ1の上面に対して鋭角を持って起立している。鉤部１１０ｃ２の平坦部１１０ｃ1の上面からの起立高さは、通帳の綴じ目の平均的厚さ、例えば１．０〜２．５ｍｍと略等しい。また、可動部１１０ｃは平坦部１１０ｃ1と鉤部１１０ｃ２との間に上面に開口する窪み１１０ｃ３が形成されている。
【００３６】
繰り出し爪１１０の上記の構造により、繰り出し爪１１０の可動部１１０ｃの平坦部１１０ｃ1は板バネ１１０ｄにより上向きに付勢されているので、ベルト１０９が繰り出し方向（図１−３において左方向)に回転されるときは、そのときの通帳Ｎの膨らみが通常程度の少量であって、通帳Ｎの後端部のカートリッジ１００の底面板１０１の上面に対する傾斜角度θ１が小さいときは、繰り出し爪１１０の可動部１１０ｃの平坦部１１０ｃ1のカートリッジ１００の底面板１０１の上面に対する傾斜角度θａが傾斜角度θ１に維持される。したがって、鉤部１１０ｃ２が最下位の通帳Ｎの後端部を係止して繰り出し力を与えるから、最下位の通帳Ｎは確実に繰り出される。
【００３７】
これに対し、図３に示すように、最下位の通帳Ｎの膨らみが大きく、綴じ目付近に丸みがあるため、通帳Ｎの後端部のカートリッジ１００の底面板１０１の上面に対する傾斜角度θ１が大きいときは、繰り出し爪１１０の板バネ１１０ｄにより上向きに付勢されている可動部１１０ｃがピン１１０ｂ周りに平坦部１１０ｃ1が通帳Ｎの後端部に当って止められるまで回動する。すなわち、繰り出し爪１１０の可動部１１０ｃの平坦部１１０ｃ1のカートリッジ１００の底面板１０１の上面に対する傾斜角度θａが傾斜角度θ１と等しくなる。したがって、鉤部１１０ｃ２が最下位の通帳Ｎの後端部を係止して繰り出し力を与えるから、最下位の通帳Ｎは確実に繰り出される。
【００３８】
繰り出し爪１１０の平坦部１１０ｃ1が通帳Ｎの後端部に当ったとき、板バネ１１０ｄが下方に撓み、その後、最下位の通帳Ｎの後端部が鉤部１１０ｃ２に当たることになるが、鉤部１１０ｃ２の平坦部１１０ｃ1の上面に対する起立角度が従来の繰り出し爪のように８５〜９０度の範囲である場合は、その通帳Ｎの後端部が鉤部１１０ｃ２に捕捉されずに逃げる虞がある。しかし、本発明では、板バネ１１０ｄが下方に撓んだ時でも通帳Ｎの後端部が鉤部８３ｃから逃げないように、鉤部１１０ｃ２の平坦部１１０ｃ1の上面に対する起立角度を鋭角、例えば、７０±１０度に設定してある。
【００３９】
可動部１１０ｃの平坦部１１０ｃ1と鉤部１１０ｃ２との間の窪み１１０ｃ３は、必要ではないが、窪み１１０ｃ３を備えた場合は、図３に例示するように、最下位の通帳Ｎの膨らみが大きく、綴じ目付近に丸みがある場合でも、通帳Ｎの後端部がその窪み１１０ｃ３に食い込まれるので、逃げをさらに確実に防止することができる。
【００４０】
鉤部１１０ｃ２の平坦部１１０ｃ1の上面に対する起立角度を鋭角にした場合は、通帳Ｎの後端部が鉤部１１０ｃ２から逃げにくくなり、より確実に繰り出し力が与えられるので好ましい。
【００４１】
他の実施の形態として、可逆モータ１１１によりベルト１０９を所定角度範囲で正方向及び逆方向に回転して繰り出し爪１１をスリット５内で往復移動させることに代えて、ベルト１０９を正方向のみに１回転させるたびに、繰り出し爪１１をスリット５に沿って一方向に移動させて通帳を１個繰り出すようにしてもよい。
【００４２】
また、モータ１１１の回転力をトルクリミッタ１１９を介して回転軸１２０に伝達するための構成は、図示の例に限られない。モータ１１１と回転軸１２０との間の伝動系の任意の位置に設けることができる。
【符号の説明】
【００４３】
Ａ    通帳処理機
Ｂ    通帳発行装置
Ｂ１    通帳繰り出し機構
１００    カートリッジ
１０１    底面板
１０４    スリット
１０５    繰り出し口
１０９    無端ベルト
１０９Ｕ  無端ベルトの上側部分
１１０    繰り出し爪
１１０ａ  固定部
１１０ｃ  可動部
１１０ｃ１  平坦部
１１０ｃ２  鉤部
１１０ｃ３  窪み
Ｎ        通帳
Ｂ２    通帳押圧機構
１１９    トルクリミッタ
１２０    最終回転体
１２２    押圧レバー
【図１】
2014032547.tif 000003
【図２】
2014032547.tif 000004
【図３】
2014032547.tif 000005
【図４】
2014032547.tif 000006
【図５】
2014032547.tif 000007
【図６】
2014032547.tif 000008
【図７】
2014032547.tif 000009